(57)【特許請求の範囲】
【請求項１】
橋梁用縦目地構造体であって、
縦目地を設置しようとする遊間の一方の側に固定された定着プレートと、
前記遊間の幅よりも大きな厚さを有し、圧縮された状態で前記遊間に配置され、前記定着プレートの遊間側の面に取り付けられた水膨潤材料製の止水材と、
前記定着プレートの遊間側の面の前記止水材の上側の箇所に取り付けられた防塵用弾性板とを備え、
前記止水材が、前記遊間の他方の側の面に接触していることを特徴とする目地構造体。
【請求項２】
前記定着プレートの遊間側の面の前記止水材の下側の箇所に取り付けられ、前記止水材を支持するための支持用弾性板をさらに備えていることを特徴とする請求項１に記載された目地構造体。
【請求項３】
前記遊間の他方の側の前記止水材が接触する面に、平滑な下地処理面が設けられていることを特徴とする請求項１又は２に記載された目地構造体。
【請求項４】
前記定着プレートの固定が、前記定着プレートの裏面から突出するように取り付けられたアンカーバーを、固定側の内部の通し筋に緊縛することによって行われることを特徴とする請求項１から請求項３までのいずれか１項に記載された目地構造体。
【請求項５】
既設の縦目地に新たに設置される橋梁用縦目地構造体であって、
縦目地が設置される遊間の一方の側に固定された支持プレートと、
前記遊間の幅よりも大きな厚さを有し、圧縮された状態で前記遊間に配置され、前記支持プレートの遊間側の面に取り付けられた水膨潤材料製の止水材と、
前記止水材の下方に取り付けられ、前記止水材の下方の空間に樋を構成する止水用樋部材とを備え、
前記止水材が、前記遊間の他方の側の面に接触していることを特徴とする目地構造体。
【請求項６】
前記支持プレートの遊間側の面の前記止水材の下側の箇所に取り付けられ、前記止水材を支持するための支持用弾性板をさらに備えていることを特徴とする請求項５に記載された目地構造体。
【請求項７】
前記遊間の他方の側の前記止水材が接触する面に、平滑な下地処理面が設けられていることを特徴とする請求項５又は６に記載された目地構造体。
【発明の詳細な説明】
【技術分野】
【０００１】
本発明は一般に、橋梁用縦目地構造体に関する。より詳細には、本発明は、縦目地としての機能を保持しつつ良好な止水性を有する橋梁用縦目地構造体に関する。
【背景技術】
【０００２】
橋梁に設置される目地には、橋軸方向と直交する方向に設けられる横目地と、橋軸方向に沿って設けられる縦目地の２種類がある。このうち縦目地としては、目地遊間に特殊なゴムパッキンを装着する方法などが知られている。
【発明の開示】
【発明が解決しようとする課題】
【０００３】
しかしながら、例えば従来のゴムパッキンを装着する縦目地では、接触密閉止水構造であるため、ゴムパッキンにクリープが発生して止水機能が低下し易いという課題がある。また、従来の他の縦目地にも、縦目地としての追従機能と止水機能を兼備したものが見当たらないのが現状である。
【０００４】
本発明は、このような状況に鑑みて開発されたものであって、縦目地としての機能を保持しつつ良好な止水性を有する橋梁用縦目地構造体を提供することを目的としている。
【課題を解決するための手段】
【０００５】
本願請求項１に記載の橋梁用縦目地構造体は、縦目地を設置しようとする遊間の一方の側に固定された定着プレートと、前記遊間の幅よりも大きな厚さを有し、圧縮された状態で前記遊間に配置され、前記定着プレートの遊間側の面に取り付けられた水膨潤材料製の止水材と、前記定着プレートの遊間側の面の前記止水材の上側の箇所に取り付けられた防塵用弾性板とを備え、前記止水材が、前記遊間の他方の側の面に接触していることを特徴とするものである。
【０００７】
本願請求項２に記載の橋梁用縦目地構造体は、前記請求項１の構造体において、前記定着プレートの遊間側の面の前記止水材の下側の箇所に取り付けられ、前記止水材を支持するための支持用弾性板をさらに備えていることを特徴とするものである。
【０００８】
本願請求項３に記載の橋梁用縦目地構造体は、前記請求項１又は２の構造体において、前記遊間の他方の側の前記止水材が接触する面に、平滑な下地処理面が設けられていることを特徴とするものである。
【０００９】
本願請求項４に記載の橋梁用縦目地構造体は、前記請求項１から請求項３までのいずれか１項の構造体において、前記定着プレートの固定が、前記定着プレートの裏面から突出するように取り付けられたアンカーバーを、固定側の内部の通し筋に緊縛することによって行われることを特徴とするものである。
【００１０】
本願請求項５に記載の、既設の縦目地に新たに設置される橋梁用縦目地構造体は、縦目地が設置される遊間の一方の側に固定された支持プレートと、前記遊間の幅よりも大きな厚さを有し、圧縮された状態で前記遊間に配置され、前記支持プレートの遊間側の面に取り付けられた水膨潤材料製の止水材と、前記止水材の下方に取り付けられ、前記止水材の下方の空間に樋を構成する止水用樋部材とを備え、前記止水材が、前記遊間の他方の側の面に接触していることを特徴とするものである。
【００１１】
本願請求項６に記載の橋梁用縦目地構造体は、前記請求項５の構造体において、前記支持プレートの遊間側の面の前記止水材の下側の箇所に取り付けられ、前記止水材を支持するための支持用弾性板をさらに備えていることを特徴とするものである。
【００１２】
本願請求項７に記載の橋梁用縦目地構造体は、前記請求項５又は６の構造体において、前記遊間の他方の側の前記止水材が接触する面に、平滑な下地処理面が設けられていることを特徴とするものである。
【発明の効果】
【００１３】
本発明の縦目地構造体は、目地遊間の一方の側にのみ固定され、目地遊間の他方の側に止水材が圧縮状態で接触するように構成されているため、活荷重による垂直方向の揺れ並びに橋軸方向の橋桁の挙動に対して、容易に追従することができ、縦目地として良好に機能する。また、本発明の縦目地構造体は、止水材が下地処理面に密着しているため、良好な止水機能を確保することができる。また、本発明の第２の実施の形態に係る縦目地構造体では、止水材の下方に止水用樋部材が配置されているので、一層良好な止水効果を得ることができる。本発明の目地構造体は、構造が簡単であるため、故障が少なく、メインテナンスが容易であるとともに、低コストで提供することができる。
【発明を実施するための最良の形態】
【００１４】
次に図面を参照して、コンクリート製の車道部と鋼床版製の歩道部との間に設置される場合を例にして、本発明の好ましい実施の形態に係る橋梁用縦目地構造体について詳細に説明する。
【００１５】
図１は、本発明の第１の実施の形態に係る橋梁用縦目地構造体を示した拡大断面図、図２は、図１の橋梁用縦目地構造体の分解拡大断面図である。図１において右側が鉄筋コンクリート製の地覆部（以下「コンクリート部」という）、左側が鋼床版製の歩道部（以下「鋼床版部」という）であり、コンクリート部と鋼床版部との間に目地が設置される遊間が設けられている。図１において全体として参照符号１０で示される本発明の第１の実施の形態に係る橋梁用縦目地構造体は、縦目地を設置しようとする遊間の一方の側に位置するコンクリート部に堅固に固定された定着プレート１２を備えている。
【００１６】
定着プレート１２は、金属板で形成されており、図１に示されるように、  定着プレート１２の裏面から突出するように取り付けられたアンカーバー１４を介してコンクリート部内の通し筋に番線等で緊縛することによって、コンクリート部に堅固に固定されている。
【００１７】
橋梁用縦目地構造体１０は又、定着プレート１２のコンクリート部と反対側の面のほぼ中央個所に取り付けられた止水材１６を備えている。止水材１６としては、吸水すると膨張する性質を有する水膨潤材料で形成されている。また、止水材１６は、定着プレート１２に接着剤で取り付けるのが好ましい。
【００１８】
橋梁用縦目地構造体１０は又、定着プレート１２のコンクリート部と反対側の面の止水材１６の上側の箇所に取り付けられた防塵用弾性板１８を備えている。防塵用弾性板１８は、目地の内部に塵が侵入するのを防止するためのものであり、好ましくはゴム板で形成されている。防塵用弾性板１８は好ましくは、ボルト１８ａによって定着プレート１２に取り付けられている。
【００１９】
橋梁用縦目地構造体１０はさらに、定着プレート１２のコンクリート部と反対側の面の止水材１６の下側の箇所に取り付けられた支持用弾性板２０を備えている。支持用弾性板２０は、止水材１６を支持するためのものであり、好ましくはゴム板で形成されている。支持用弾性板２０は好ましくは、ボルト２０ａによって定着プレート１２に取り付けられている。
【００２０】
止水材１６は、目地の遊間の幅よりも大きい厚さを有するように選定されているため、圧縮された状態で鋼床版部の面２２に接触している。
【００２１】
止水材１６が接触する鋼床版部の面２２は、止水材１６の容易な滑動を確保するために、大きな凹凸がないように平滑にした下地処理面とするのが好ましい。
【００２２】
なお、図３に示されるように、止水材１６を支持するため、鋼床版部の面２２をコンクリート部の側の方に９０度折り曲げることにより、支持用弾性板２０を省略することができる。また、既設の縦目地の補修工事において、既存の防塵用ゴム板を利用することができる場合には、防塵用弾性板１８を省略することができる。
【００２３】
次に、以上のように構成された橋梁用縦目地構造体１０の作動について説明する。橋梁用縦目地構造体１０の止水材１６は、コンクリート部の側に固定されている一方、鋼床版部の側には固定されておらず下地処理面２２に圧縮状態で接触しているので、活荷重による垂直方向の揺れ並びに橋軸方向の橋桁の挙動に対して追従することができ、縦目地として良好に機能するとともに、下地処理面２２と止水材１６との間に隙間（水みち）が生じず、良好な止水機能を確保することができる。
【００２４】
本発明の橋梁用縦目地構造体１０は、新設の橋梁に設置することもでき、既設の橋梁に設置することもできる。既設の橋梁に設置しようとする場合には、定着プレート１２を固定しようとする部分のコンクリートをはつって取り除き（図６（ａ））、止水材１６などを取り付けた定着プレート１２のアンカーバー１４を通し筋に緊縛し（図６（ｂ））、しかる後、取り除いた部分に新たにコンクリートを打設する（図６（ｃ））。
【００２５】
図７は、本発明の第２の実施の形態に係る橋梁用縦目地構造体を示した拡大断面図、図８は、図７の橋梁用縦目地構造体の分解拡大断面図である。本発明の第２の実施の形態に係る橋梁用縦目地構造体は、既設の橋梁に設置するものである。図７において右側がコンクリート部、左側が鋼床版部であり、コンクリート部と鋼床版部との間に目地が設置される遊間が設けられている。図７において全体として参照符号３０で示される本発明の第２の実施の形態に係る橋梁用縦目地構造体は、縦目地が設置される遊間の一方の側に位置するコンクリート部に固定された支持プレート３２を備えている。支持プレート３２は、アンカーボルト３２ａによってコンクリート部の下面に堅固に固定されている。
【００２６】
橋梁用縦目地構造体３０は又、既設の縦目地３８のコンクリート部に取り付けられた止水材３６を備えている。止水材３６としては、止水材１６と同様に、吸水すると膨張する性質を有する水膨潤材料で形成されている。また、止水材３６は、コンクリート部に接着剤で取り付けるのが好ましい。
【００２７】
橋梁用縦目地構造体３０は又、止水材３６の下方に位置し、止水材３６を支持するための支持用弾性板４０を備えている。支持用弾性板４０は、ボルト４０ａによって支持プレート３２に取り付けられている。なお、支持用弾性板４０は、好ましくはゴム板で形成されている。
【００２８】
橋梁用縦目地構造体３０はさらに、支持用弾性板４０の下方に取り付けられた止水用樋部材３４を備えている。止水用樋部材３４は、ほぼＪ形の横断面を有するゴム板で形成されており、一端を支持プレート３２に締結具３４ａで固定し、他端を対向する鋼床版部の面に締結具３４ｂで固定することによって、止水材３６および支持用弾性板４０の下方の空間に樋を構成している。
【００２９】
止水材３６は、止水材１６と同様に、目地の遊間の幅よりも大きい厚さを有するように選定されているため、圧縮された状態で鋼床版部の面４２に接触している。また、止水材３６が接触する鋼床版部の面４２は、止水材３６の容易な滑動を確保するために、大きな凹凸がないように平滑にした下地処理面とするのが好ましい。
【００３０】
本発明は、以上の発明の実施の形態に限定されることなく、特許請求の範囲に記載された発明の範囲内で、種々の変更が可能であり、それらも本発明の範囲内に包含されるものであることはいうまでもない。
【００３１】
たとえば、前記実施の形態では、コンクリート部の側に止水材１６、３６を固定し、鋼床版部の側に止水材１６、３６が接触するように構成されているが、止水材１６、３６を固定する側を鋼床版にしてもよいし、滑動面が平滑になるように下地処理を施すのであれば、止水材１６、３６が接触する側をコンクリート部にしてもよい。また、前記実施の形態において示されている定着プレート１２、支持プレート３２、止水材１６、３６、防塵用弾性板１８、支持用弾性板２０、４０の形状や寸法は、単なる例示的なものであり、図示されたものに限定されるものではない。
【図面の簡単な説明】
【００３２】
【図１】本発明の第１の実施の形態に係る橋梁用縦目地構造体の拡大断面図である。
【図２】図１の橋梁用縦目地構造体の各構成要素を分解して示した分解拡大断面図  ある。
【図３】図１の橋梁用縦目地構造体の変形形態を示した図２と同様の図である。
【図４】縦目地の典型的な設置位置を模式的に示した斜視図である。
【図５】図１の橋梁用縦目地構造体の設置箇所を示した全体図である。
【図６】既設の橋梁に図１の橋梁用縦目地構造体を設置する手順を示した模式図である。
【図７】本発明の第２の実施の形態に係る橋梁用縦目地構造体の拡大断面図である。
【図８】図７の橋梁用縦目地構造体の各構成要素を分解して示した分解拡大断面図である。
【符号の説明】
【００３３】
１０  橋梁用縦目地構造体
１２  定着プレート
１４  アンカーバー
１６  止水材
１８  防塵用弾性板
１８ａ  取付用ボルト
２０  支持用弾性板
２０ａ  取付用ボルト
２２  止水材の接触面（下地処理面）
３０  橋梁用縦目地構造体
３２  支持プレート
３２ａ  アンカーボルト
３４  止水用樋部材
３４ａ  締結具
３４ｂ  締結具
３６  止水材
３８  既設の縦目地
４０  支持用弾性板
４０ａ  取付用ボルト
４２  止水材の接触面（下地処理面）
【図１】
0005791913.tif 000002
【図２】
0005791913.tif 000003
【図３】
0005791913.tif 000004
【図４】
0005791913.tif 000005
【図５】
0005791913.tif 000006
【図６】
0005791913.tif 000007
【図７】
0005791913.tif 000008
【図８】
0005791913.tif 000009